(57)【要約】【課題】本発明は左右のカバープレートとの間に段差が生じることなくほぼ同一面にでき、スムーズな車椅子等の移動が可能で、かつ地震等によって左右の建物が異なる方向に揺れ動いても、その揺れ動きにスムーズに追従して損傷するのを確実に防止することができる床用目地装置を得るにある。【解決手段】左右の建物の目地部側の床面に形成され凹部に固定された左右の支持部材と、左右の支持部材の中央部に両端部が位置するように支持された支持プレートと、支持プレートの中央部を常時目地部の中央部に位置させる中央維持機構と、支持プレートの両端部寄りの部位をスライド移動可能に覆い左右の支持部材上を覆う目地部側の上面が傾斜面の左右のカバープレートと、左右のカバープレート間を上面が同一面となるように覆う支持プレートに支持され両端部が該左右のカバープレート間の寸法が狭くなると上方へ押し上げられる形状に形成された中央プレートと、中央プレートを常時支持プレートの中央部に位置し上方へ移動可能に支持する中央プレート支持機構とで床用目地装置を構成している。【選択図】  図３
2004324087.tif 000002
【特許請求の範囲】
【請求項１】
左右の建物の目地部側の床面に形成され凹部に固定された左右の支持部材と、この左右の支持部材のほぼ中央部に両端部が位置するように支持された支持プレートと、この支持プレートの中央部を常時前記目地部の中央部に位置させる両端部が前記左右の建物の目地部側床躯体に枢支された中央維持機構と、前記支持プレートの両端部寄りの部位をスライド移動可能に覆うとともに、前記左右の支持部材上を覆う目地部側の上面が傾斜面の左右のカバープレートと、この左右のカバープレート間を上面が同一面となるように覆う前記支持プレートに支持され、両端部が該左右のカバープレート間の寸法が狭くなると上方へ押し上げられる形状に形成された中央プレートと、この中央プレートを常時前記支持プレートの中央部に位置し、上方へ移動可能に支持する中央プレート支持機構とからなることを特徴とする床用目地装置。
【請求項２】
左右の建物の目地部側の床面に形成された凹部に固定された目地部側に支持プレート支持部、反目地部側に逆Ｌ字状のカバープレート支持部が形成された左右の支持部材と、この左右の支持部材のほぼ中央部に両端部が位置するように支持プレート支持部に支持された支持プレートと、この支持プレートの中央部を常時前記目地部の中央部に位置させる両端部が前記左右の建物の目地部側床躯体に枢支された少なくとも２個以上の四角形状のリンク、この少なくとも２個以上のリンクの中央部の枢支部に枢支された支持バー、この支持バーに少なくとも２個以上取付けられた、前記支持プレートの中央部を支持する支持片とからなる中央維持機構と、前記支持プレートの両端部寄りの部位をスライド移動可能に覆うとともに、前記左右の支持部材上を覆うようにカバープレートに取付けられた目地部側の上面が傾斜面の左右のカバープレートと、この左右のカバープレート間を上面が同一面となるように覆う前記支持プレートに支持され、両端部が該左右のカバープレート間の寸法が狭くなると上方へ押し上げられる傾斜面に形成された中央プレートと、この中央プレートを常時前記支持プレートの中央部に位置し、上方へ移動可能に支持する中央プレート支持機構とからなることを特徴とする床用目地装置。
【発明の詳細な説明】
【０００１】
【発明の属する技術分野】
本発明は左右の建物の床面間の目地部を覆う床用目地装置に関する。
【０００２】
【従来の技術】
従来の床用目地装置は目地部側の左右の床面に形成した凹部内に固定した左右の支持部材と、この左右の支持部材のほぼ中央部に両端部が位置するように支持された目地プレートと、この目地プレートの中央部を目地部の中央部に常時位置させる両端部が左右の建物の目地部側床躯体に枢支された中央維持機構と、前記目地プレートの両端部をスライド移動可能に覆うとともに、前記左右の支持部材の上部を覆うように取付けられた左右のカバープレートとで構成されている。
【０００３】
［特許文献］      特開２０００−２７３１８
【０００４】
【発明が解決しようとする課題】
従来の床用目地装置は目地プレートの両端部をスライド移動可能に左右のカバープレートで覆っているため、左右のカバープレートと目地プレートとの間に段差が生じるという欠点があるとともに、目地プレートの上面にタイル、ジュウタンや化粧シート等を設けると、目地プレートがスムーズに移動しなかったり、ジュウタンや化粧シート等が損傷しやすいという欠点があった。
【０００５】
本発明は以上のような従来の欠点に鑑み、左右のカバープレートとの間に段差が生じることなくほぼ同一面にでき、スムーズな車椅子等の移動が可能で、かつ地震等によって左右の建物が異なる方向に揺れ動いても、その揺れ動きにスムーズに追従して、損傷するのを確実に防止することができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は左右の建物の目地部側の床面に形成され凹部に固定された左右の支持部材と、この左右の支持部材のほぼ中央部に両端部が位置するように支持された支持プレートと、この支持プレートの中央部を常時前記目地部の中央部に位置させる両端部が前記左右の建物の目地部側床躯体に枢支された中央維持機構と、前記支持プレートの両端部寄りの部位をスライド移動可能に覆うとともに、前記左右の支持部材上を覆う目地部側の上面が傾斜面の左右のカバープレートと、この左右のカバープレート間を上面が同一面となるように覆う前記支持プレートに支持され、両端部が該左右のカバープレート間の寸法が狭くなると上方へ押し上げられる形状に形成された中央プレートと、この中央プレートを常時前記支持プレートの中央部に位置し、上方へ移動可能に支持する中央プレート支持機構とで床用目地装置を構成している。
【０００８】
【発明の実施の形態】
以下、図面に示す実施の形態より、本発明を詳細に説明する。
【０００９】
図１ないし図１０に示す本発明の第１の実施の形態において、１は本発明の床用目地装置で、この床用目地装置１は左右の建物２、２の目地部３側の床面２ａ、２ａに形成された凹部４、４に固定された左右の支持部材５、５と、この左右の支持部材５、５のほぼ中央部に両端部が位置するように支持された支持プレート６と、この支持プレート６の中央部を常時前記目地部３の中央部に位置させる両端部が前記左右の建物２、２の目地部側床躯体２ｂ、２ｂに枢支された中央維持機構７と、前記支持プレート６の両端部寄りの部位をスライド移動可能に覆うとともに、前記左右の支持部材５、５上を覆う左右のカバープレート８、８と、この左右のカバープレート８、８間を上面が同一面となるように覆う前記支持プレート６に支持された、該左右のカバープレート８、８間の寸法が狭くなると上方へ押し上げられる中央プレート９と、この中央プレート９を常時前記支持プレート６の中央部に位置し、上方へ移動可能に支持する中央プレート支持機構１０とで構成されている。
【００１０】
前記左右の支持部材５、５は図４に示すように、前記凹部４の底面に複数本のビス１１等によって固定される金属材製の支持部材本体１２と、この支持部材本体１２の目地部３側の端部より上方に突出形成された支持プレート支持部１３と、前記支持部材本体１２の反目地部側の端部より上方へ逆Ｌ字状に突出形成されたカバープレート支持部１４とで構成されている。
【００１１】
前記中央維持機構７は図５に示すように、断面四角柱の長辺を上下方向に配置したバー部材１５、１５、１５、１５の端部を枢支ピン１６、１６、１６、１６で枢支した四角形状のリンク１７と、このリンク１７の一方の対向するバー部材１５、１５のほぼ中央部に両端部が枢支ピン１６、１６で枢支された中央バー部材１５Ａと、前記リンク１７の両端部の枢支ピン１６、１６に枢支された目地部側床躯体２ｂ、２ｂに複数本のビス１８等によって取付けられる取付け金具１９、１９と、前記リンク１７、１７の中央バー部材１５Ａ、１５Ａの中央部の枢支ピン１６Ａ、１６Ａに枢支された支持バー２０と、この支持バー２０に上下移動可能に取付けられた、前記支持プレート６の中央部を支持する筒状の複数個の支持片２１、２１とで構成されている。
【００１２】
前記左右のカバープレート８、８は図６に示すように、先端部が傾斜面２２となるカギ状に形成された金属材製のカバープレート本体２３と、このカバープレート本体２３の先端部を除く上面に敷設されたタイル、ジュータンや化粧シート等の床化粧体２４とで構成されている。
【００１３】
前記中央プレート９は図７に示すように、両端部の下面が傾斜面２５、２５に形成され、両端部を除く上面が凹部２６となるように金属材で形成された中央プレート本体２７と、この中央プレート本体２７の凹部２６に敷設されたタイル、ジュータンや化粧シート等の床化粧体２４とで構成され、該中央プレート本体２７の両端部の高さ寸法と前記カバープレート本体２３、２３のカギ状の先端部の高さ寸法とが同じ寸法に形成されている。
【００１４】
前記中央プレート支持機構１０は図８に示すように、前記中央プレート９の底面中央部に所定間隔で複数本のビス２８等によって固定された複数個のハット形鋼形状の支持金具２９と、この複数個の支持金具２９を前記支持プレート６に形成された貫通孔３０を通過して、該支持金具２９を上下方向にガイドする前記支持バー２０に取付けられた筒状の複数個の支持片２１、２１内にスプリング３２、ワッシャー３３を介して取付けるボルト３４とで構成されている。
【００１５】
上記構成の床用目地装置１は通常時は図２に示すように、左右のカバープレート８、８と中央プレート９の上面とがほぼ同一面の隙間が生じない状態になり、車椅子の移動でも段差がなくスムーズに移動することができる。
【００１６】
地震等によって左右の建物２、２が異なる方向に揺れ動き、目地部３が広くなった場合には、図９に示すように中央維持機構７によって支持プレート６、中央プレート９の中央部が目地部３の中央部に位置するように支持されるとともに、左右の支持部材５、５および左右のカバープレート８、８が外方へスライド移動し、左右のカバープレート８、８と中央プレート９とが離れて、その揺れ動きを吸収する。
この時、左右のカバープレート８、８と中央プレート９との間に段差が生じるが、支持プレート６によって目地部３が開口するのを阻止できる。
【００１７】
また、目地部が狭くなった場合には、図１０に示すように左右のカバープレート８、８の先端部の傾斜面２２、２２によって、中央プレート９の両端部の傾斜面２５、２５に沿って中央プレート維持機構１０のスプリング３２の付勢力に抗して中央プレート９を上方へ押し上げ、その揺れ動きを吸収する。
この時、中央プレート９の両端部は左右のカバープレート８、８上に乗り上げるが、該中央プレート９の両端部および左右のカバープレート８、８の先端部が金属材であるため、左右のカバープレート８、８の床化粧体２４、２４を損傷させたりするのを確実に防止することができる。
なお、揺れ動きが停止すると、元の状態に自動的に戻る。
【００１８】
【発明の異なる実施の形態】
次に、図１１ないし図１６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１９】
図１１ないし図１３に示す本発明の第２の実施の形態において、前記本発明の第１の実施の形態と主に異なる点は、左右の建物２、２の目地部側床躯体２ｂ、２ｂに複数本のビス３５によって固定された一対のガイドレール３６、３６と、この一対のガイドレール３６、３６に支持される両端部に取付けられたローラ３７、３７が取付けられたほぼ４５度の傾斜に配置される少なくとも２個以上のバー部材３８、３８と、この少なくとも２個以上のバー部材３８、３８のほぼ中央部に枢支ピン３９、３９によって枢支された支持バー２０とからなる中央維持機構７Ａを用いるとともに、スプリングを用いない中央プレート支持機構１０Ａを用いた点で、このように構成した床用目地装置１Ａにしても、前記本発明の第１の実施の形態と同様な作用効果が得られる。
【００２０】
図１４ないし図１６に示す本発明の第３の実施の形態において、前記本発明の第１の実施の形態と主に異なる点は、金属材製の左右のカバープレート８Ａ、８Ａと中央プレート９Ａを用いるとともに、該中央プレート９Ａの両端部をクランク状の端部９ａ、９ａとなるように形成した点で、このように構成した床用目地装置１Ｂにしても、左右のカバープレート８Ａ、８Ａの先端部の傾斜面２２、２２が中央プレート９Ａの両端部の下部角部を押し上げることができ、前記本発明の第１の実施の形態と同様な作用効果が得られる。、
【００２１】
【発明の効果】
以上の説明から明らかなように、本発明にあっては次に列挙する効果が得られる。
【００２２】
（１）左右の建物の目地部側の床面に形成され凹部に固定された左右の支持部材と、この左右の支持部材のほぼ中央部に両端部が位置するように支持された支持プレートと、この支持プレートの中央部を常時前記目地部の中央部に位置させる両端部が前記左右の建物の目地部側床躯体に枢支された中央維持機構と、前記支持プレートの両端部寄りの部位をスライド移動可能に覆うとともに、前記左右の支持部材上を覆う目地部側の上面が傾斜面の左右のカバープレートと、この左右のカバープレート間を上面が同一面となるように覆う前記支持プレートに支持され、両端部が該左右のカバープレート間の寸法が狭くなると上方へ押し上げられる形状に形成された中央プレートと、この中央プレートを常時前記支持プレートの中央部に位置し、上方へ移動可能に支持する中央プレート支持機構とで構成されているので、中央プレートおよび左右のカバープレートの上面をほぼ同一面にすることができる。
したがって、段差がなく、車椅子等でもスムーズに移動することができる。
【００２３】
（２）前記（１）によって、左右の建物が異なる左右方向に揺れ動いた場合には支持プレート上を左右のカバープレートがスライド移動して、その揺れ動きを吸収したり、中央プレートをカバープレート上へ押し上げて、その揺れ動きを吸収することができる。
【００２４】
（３）前記（１）によって、支持プレートに中央プレートを支持させるので、タイル等を敷設した中央プレートや左右のカバープレートを用いても、安全に支持させることができる。
【００２５】
（４）請求項２も前記（１）〜（３）と同様な効果が得られる。
【図面の簡単な説明】
【図１】本発明の第１の実施の形態の平面図。
【図２】本発明の第１の実施の形態の底面図。
【図３】図１の３−３線に沿う拡大断面図。
【図４】本発明の第１の実施の形態の支持部材の説明図。
【図５】本発明の第１の実施の形態の中央維持機構の説明図。
【図６】本発明の第１の実施の形態のカバープレートの説明図。
【図７】本発明の第１の実施の形態の中央プレートの説明図。
【図８】本発明の第１の実施の形態の中央プレート支持機構の説明図。
【図９】本発明の第１の実施の形態の目地部が広くなった動作説明図。
【図１０】本発明の第１の実施の形態の目地部が狭くなった動作説明図。
【図１１】本発明の第２の実施の形態の平面図。
【図１２】図１１の１２−１２線に沿う拡大断面図。
【図１３】本発明の第２の実施の中央維持機構の説明図。
【図１４】本発明の第３の実施の形態の平面図。
【図１５】図１４の１５−１５線に沿う拡大断面図。
【図１６】カバープレートおよび中央プレートの説明図。
【符号の説明】
１、１Ａ、１Ｂ：床用目地装置、
２：建物、              ３：目地部、
４：凹部、              ５：支持部材、
６：支持プレート、      ７、７Ａ：中央維持機構、
８、８Ａ：カバープレート、
９、９Ａ：中央プレート、
１０、１０Ａ：中央プレート支持機構、
１１：ビス、            １２：支持部材本体、
１３：支持プレート支持部、
１４：カバープレート支持部、
１５、１５Ａ：バー部材、１６、１６Ａ：枢支ピン、
１７：リンク、          １８：ビス、
１９：取付け金具、      ２０：支持バー、
２１：支持片、          ２２：傾斜面、
２３：カバープレート本体、
２４：床化粧体、        ２５：傾斜面、
２６：凹部、            ２７：中央プレート本体、
２８：ビス、            ２９：支持金具、
３０：貫通孔、          ３２：スプリング、
３３：ワッシャー、      ３４：ボルト、
３５：ビス、            ３６：ガイドレール、
３７：ローラ、          ３８：バー部材、
３９：枢支ピン。
【図１】
2004324087.tif 000003
【図２】
2004324087.tif 000004
【図３】
2004324087.tif 000005
【図４】
2004324087.tif 000006
【図５】
2004324087.tif 000007
【図６】
2004324087.tif 000008
【図７】
2004324087.tif 000009
【図８】
2004324087.tif 000010
【図９】
2004324087.tif 000011
【図１０】
2004324087.tif 000012
【図１１】
2004324087.tif 000013
【図１２】
2004324087.tif 000014
【図１３】
2004324087.tif 000015
【図１４】
2004324087.tif 000016
【図１５】
2004324087.tif 000017
【図１６】
2004324087.tif 000018